(57)【要約】      （修正有）【課題】反射層に配置した開口部を用いて、表示する画像を変更することができ、レイアウト上又はデザイン上の自由度を損なうことなく、デザイン性の高い鏡、および、その鏡を備える額縁又はその鏡を用いた看板を提供する。【解決手段】画像を表示する鏡であって、光を反射する反射部材１１と、前記反射部材１１の背面側に配置された液晶１２とを有し、前記反射部材１１は、前記画像を表示する開口部１１ｏを備え、前記液晶は、前記開口部１１ｏの開口から前記反射部材１１の正面側に所望の画像を表示する、ことを特徴とする。【選択図】図１
0003197510.tif 000002
【実用新案登録請求の範囲】
【請求項１】
画像を表示する鏡であって、
光を反射する反射部材と、
前記反射部材の背面側に配置された液晶と
を有し、
前記反射部材は、前記画像を表示する開口部を備え、
前記液晶は、前記開口部の開口から前記反射部材の正面側に所望の画像を表示する、
ことを特徴とする鏡。
【請求項２】
請求項１に記載の鏡を額部材に配置した、ことを特徴とする額縁。
【請求項３】
請求項１に記載の鏡をスタンド部材に配置した、ことを特徴とする電子看板。
【考案の詳細な説明】
【技術分野】
【０００１】
本考案は、反射層に開口部を有する鏡に関する。また、本考案は、反射層に開口部を有する鏡を備える額縁及びその鏡を用いた看板に関する。
【背景技術】
【０００２】
特許文献１では、有色透明なイラストを有する透明板の裏面側に配される鏡に取り付けられる保持部材であって、透明板を左右方向へ回動可能に保持し、透明板と鏡とを近接対面させると共に、透明板と鏡との近接対面状態を解除する保持部材を有する額縁兼鏡に関する技術を開示している。また、特許文献２では、造花を脱着自在に取り付けできるリボンを備えた遺影写真用額縁をそのガラス面が上面を向くように箱体に収納し、遺影写真用額縁のガラス面に保護シートを剥離可能に貼着し、保護シートの上面に造花を脱着自在に係止する係止部を設け、同係止部に造花を仮止めし、保護シートの上面に仕切板を造花と接触しないように配置して複数の部屋に区画し、造花の有しない各部屋に写真と遺影写真用額縁を立設するスタンドを別々に収納し、箱体に蓋体を被せた構造を特徴とする、遺影写真用額縁の箱体収納構造に関する技術を開示している。
【先行技術文献】
【特許文献】
【０００３】
【特許文献１】特開平１０‐１４６２５２号公報
【特許文献２】特開２００９‐８９７８０号公報
【考案の概要】
【考案が解決しようとする課題】
【０００４】
しかしながら、特許文献１及び特許文献２に開示されている技術では、鏡に表示する絵や画像を変更することができない場合がある。また、特許文献１及び特許文献２では、鏡の反射部分に絵や画像を表示する技術が記載されていない。更に、特許文献１及び特許文献２に開示されている技術では、表示する絵や画像が時系列で変化する装飾製に富んだデザイン性の高い鏡や額縁、看板等を得ることができない場合がある。
【０００５】
本考案は、反射層に配置した開口部を用いて、表示する画像を変更することができる鏡を提供することを目的とする。また、本考案は、鏡のレイアウト上又はデザイン上の自由度を損なうことなく、デザイン性の高い鏡、その鏡を備える額縁又はその鏡を用いた看板を提供することを目的とする。
【課題を解決するための手段】
【０００６】
上記課題を解決するために、本考案の一つの実施形態は、画像を表示する鏡であって、光を反射する反射部材と、前記反射部材の背面側に配置された液晶とを有し、前記反射部材は、前記画像を表示する開口部を備え、前記液晶は、前記開口部の開口から前記反射部材の正面側に所望の画像を表示する、ことを特徴とする鏡を提供する。
【０００７】
本考案の他の実施形態は、上記の鏡を額部材に配置した、ことを特徴とする額縁であってもよい。
【０００８】
本考案の他の実施形態は、上記の鏡をスタンド部材に配置した、ことを特徴とする電子看板であってもよい。
【考案の効果】
【０００９】
本考案に係る鏡、額縁又は電子看板によれば、表示する画像を変更することができる。また、本考案に係る鏡、額縁又は電子看板によれば、レイアウト上又はデザイン上の自由度を損なうことなく、デザイン性を向上することができる。
【図面の簡単な説明】
【００１０】
【図１】本発明の実施形態に係る鏡の一例を示す概略正面図である。
【図２】本発明の実施形態に係る鏡の一例を示す概略左側面図である。
【図３】本発明の実施形態に係る鏡の反射部材の一例を示す説明図である。
【図４】本発明の実施形態に係る鏡の反射部材の一例を示す断面図である。
【図５】本発明の実施形態に係る鏡の液晶の一例を示す説明図である。
【図６】本発明の実施例に係る額縁の一例を示す概略正面図である。
【図７】本発明の実施例に係る電子看板の一例を示す概略正面図である。
【考案を実施するための形態】
【００１１】
実施形態に係る鏡、並びに、実施例に係る額縁及び電子看板の例を用いて、本考案を説明する。なお、本考案は、以後に説明する鏡、額縁、電子看板以外でも、反射層に開口部を有する鏡（部品、部材、装置、システム、アプリケーションなど）であれば、いずれのものにも用いることができる。
【００１２】
以後に、本考案を説明する。
【００１３】
図１乃至図５を用いて、本考案の実施形態に係る鏡１００の構成を説明する。ここで、図１は、本発明の実施形態に係る鏡１００の一例を示す概略正面図である。図２は、本発明の実施形態に係る鏡１００の一例を示す概略左側面図である。図３は、本発明の実施形態に係る鏡１００の反射部材１１の一例を示す説明図である。図４は、本発明の実施形態に係る鏡１００の反射部材１１の一例を示す断面図である。図５は、本発明の実施形態に係る鏡１００の液晶１２の一例を示す説明図である。なお、図１等に示す鏡の構成等は一例であり、本考案は図１等に示す鏡の構成等に限定されるものではない。
【００１４】
図１に示すように、本考案に係る鏡１００は、光を反射する表面を備えるものである。鏡１００は、図１及び図２に示すように、光を反射する反射部材１１と、反射部材１１の背面側に配置された液晶１２とを有する。鏡１００は、液晶１２を用いて、反射部材１１の開口部１１ｏの開口から反射部材１１の正面側に所望の画像を表示する。
【００１５】
ここで、所望の画像とは、鏡１００の使用者によって予め設定された任意の画像である。なお、本考案に係る鏡１００が表示する画像は、特に限定されるものではない。
【００１６】
図３に示すように、本考案に係る反射部材１１は、液晶１２の画像を表示する開口部１１ｏと、光を反射する反射層１１ｒとを備える。また、反射部材１１は、図４に示すように、開口部１１ｏおよび反射層１１ｒを保護するために、開口部１１ｏおよび反射層１１ｒの表面に透明層１１ｇを備える。ここで、開口部１１ｏは、文字又は図形などの任意の形状とすることができる。開口部１１ｏは、反射層１１ｒをエッチングとサンドブラストにより取り除いて、制作してもよい。
【００１７】
図５に示すように、本考案に係る液晶１２は、所望の画像を表示する表示部１２ａと、表示部１２ａを支持及び保護するベゼル部１２ｂとを備える。ここで、液晶１２は、液晶ディスプレイ、プラズマディスプレイ、OHP、プロジェクター等であってもよい。なお、本考案に係る表示部１２ａ（液晶１２）が表示する画像は、特に限定されるものではない。すなわち、表示部１２ａ（液晶１２）は、動画、静止画及び／又はテキストなどの使用者の所望の画像を表示することができる。また、液晶１２（鏡１００）の外形は、図１等に示すものに限定されるものではない。すなわち、本考案に係る鏡１００は、例えば台形状あるいは扇形状であってもよい。
【００１８】
以上のとおり、本考案に係る鏡１００よれば、反射部材１１（開口部１１o）を用いて画像を表示することができるとともに、液晶１２（表示部１２ａ）を用いて表示する画像を変更することができる。これにより、本考案に係る鏡１００よれば、レイアウト上又はデザイン上の自由度を損なうことなく、デザイン性を向上することができる。すなわち、本考案に係る鏡１００よれば、使用者、消費者の趣味趣向に合わせたデザインに容易に変更することができる。また、本考案に係る鏡１００よれば、液晶１２（表示部１２ａ）を用いて表示する絵や画像を時系列で変化することができるので、装飾製に富んだデザイン性の高い表現をすることができる。更に、本考案に係る鏡１００よれば、反射部材１１（開口部１１o）を用いてアートの要素を取り入れることにより、新たな商品価値を作り出すことができる。    
【実施例】
【００１９】
実施形態に係る鏡１００を備える額縁及び電子看板の実施例を用いて、本考案を説明する。
【００２０】
（実施例１）
図６に示すように、本実施例に係る額縁１００Ｇは、実施形態に係る鏡１００（反射部材１１、液晶１２）と、鏡１００を保持する額部材１３とを備える。なお、額部材１３の形状は特に限定されるものではない。すなわち、本考案に係る額部材１３の形状は、使用者、消費者の趣味趣向に合わせたデザインに容易に変更することができる。なお、図６に示す額縁は一例であり、本考案は図６に示す額縁に限定されるものではない。
【００２１】
以上のとおり、本実施例に係る額縁１００Ｇよれば、実施形態に係る鏡１００と同様の効果を得ることができる。
【００２２】
（実施例２）
図７に示すように、本実施例に係る電子看板（デジタルサイネージ）１００Ｓは、実施形態に係る鏡１００（反射部材１１、液晶１２）と、鏡１００を支持するスタンド部材１４とを備える。なお、スタンド部材１４の形状及び位置は図７に示す形状及び位置に限定されるものではない。すなわち、本考案に係るスタンド部材１４の形状及び位置は、使用者、消費者の趣味趣向に合わせたデザインに容易に変更することができる。なお、図７に示す電子看板は一例であり、本考案は図７に示す電子看板に限定されるものではない。
【００２３】
以上のとおり、本実施例に係る電子看板１００Ｓよれば、実施形態に係る鏡１００と同様の効果を得ることができる。また、本実施例に係る電子看板１００Ｓよれば、鏡１００を脱着することができるので、宣伝内容を容易に変更することができる。
【００２４】
以上のとおり、本考案に係る実施形態及び実施例について説明したが、本考案は上記の実施形態及び実施例に限定されるものではない。すなわち、本考案は、実用新案登録請求の範囲に記載の内容に基づいて、様々に変形、変更又はその他任意に改変され得る。
【符号の説明】
【００２５】
１００  ：  鏡
１００Ｇ：  額縁
１００Ｓ：  電子看板（デジタルサイネージ）
１１  ：  反射部材
１１ｏ：  開口部
１１ｒ：  反射層
１１ｇ：  透明層
１２  ：  液晶
１２ａ：  ベゼル部
１２ｂ：  表示部
１３  ：  額部材
１４  ：  スタンド部材
【図１】
0003197510.tif 000003
【図２】
0003197510.tif 000004
【図３】
0003197510.tif 000005
【図４】
0003197510.tif 000006
【図５】
0003197510.tif 000007
【図６】
0003197510.tif 000008
【図７】
0003197510.tif 000009